(57)【要約】【課題】複数の緑化ボード１，１，…を載置した状態で離反し難くして、安定した緑化システムを維持できるようにする。【解決手段】表面に植物Ｐが直接植栽される緑化ボード１として、表面に植物Ｐが植生される、比重０．０５〜０．３５でかつ厚み１０〜２５ｍｍの吸水性を有する木質繊維板２と、この木質繊維板２の裏面に一体的に設けられた連結部材１２とを備えてなるものとする。この連結部材１２は、隣り合う緑化ボード１の連結部材１２と連結可能とされていて、両連結部材１２，１２同士を連結することにより、緑化ボード１を隣り合う緑化ボード１と連結可能とする。【選択図】図１
2012223156.tif 000002
【特許請求の範囲】
【請求項１】
表面に植物が直接植栽される緑化ボードであって、
表面に植物が植生される、比重０．０５〜０．３５でかつ厚み１０〜２５ｍｍの吸水性を有する木質繊維板と、
上記木質繊維板の裏面に一体的に設けられた連結部材とを備えてなり、
上記連結部材は隣り合う緑化ボードの連結部材と連結可能とされていて、該連結部材同士を連結することにより、隣り合う緑化ボードと連結可能に構成されていることを特徴とする緑化ボード。
【請求項２】
請求項１において、
木質繊維板の表面上に載置されかつ植物の種が播種された多孔シートを備えており、
上記多孔シートに播種された種が散水により発芽し、その根が上記木質繊維板に活着することにより、木質繊維板の表面に植物が植生されるように構成されていることを特徴とする緑化ボード。
【請求項３】
請求項１又は２において、
木質繊維板の表面に溝部又は穴部の少なくとも一方が設けられていることを特徴とする緑化ボード。
【請求項４】
請求項１又は２において、
木質繊維板の表面及び裏面にそれぞれ溝部又は穴部の少なくとも一方が、該表裏面の溝部又は穴部の間で互いに連通するように設けられていることを特徴とする緑化ボード。
【請求項５】
請求項１〜４のいずれか１つにおいて、
木質繊維板と連結部材との間に設けられた防根シートを備えていることを特徴とする緑化ボード。
【請求項６】
請求項１〜５のいずれか１つにおいて、
木質繊維板の裏面に該木質繊維板の異なる２辺間に亘って延びる複数の裏溝が設けられていることを特徴とする緑化ボード。
【請求項７】
請求項１〜６のいずれか１つの複数の緑化ボードが連結部材により互いに連結された状態で設置対象体上に設置されていることを特徴とする緑化システム。
【請求項８】
設置対象体上に防根シートが載置され、該防根シート上に請求項１〜６のいずれか１つの複数の緑化ボードが連結部材により互いに連結された状態で載置されていることを特徴とする緑化システム。
【請求項９】
設置対象体上に防水シート又は吸水ボードが載置され、該防水シート又は吸水ボード上に請求項１〜６のいずれか１つの複数の緑化ボードが連結部材により互いに連結された状態で載置されていることを特徴とする緑化システム。
【発明の詳細な説明】
【技術分野】
【０００１】
本発明は、植物が生育される緑化ボード及びそれを備えた緑化システムに関する。
【背景技術】
【０００２】
近年、植物を育生するための緑化ボード及びそれを備えた緑化システムが、ＣＯ２吸収や省エネルギー化等の環境向上を図る手段として注目されている。緑化システムは、例えば建物の屋上等に設置されるが、その設置場所に加わる荷重を低減するために、軽量化することが望まれている。
【０００３】
そこで、不織布やフェルトのような樹脂繊維をマット状に成形した保水用ボードが提案されており、土壌の一部を軽量な保水用ボードに置き換える試みが行われている。そして、保水用ボードの上に載積された土壌層において、例えば芝草等の植物を生育するようにしている。
【０００４】
しかし、上記保水用ボードは樹脂繊維からなるため、その保水用ボード自体を廃棄する際に多量のＣＯ２が排出されるという問題がある。さらに、上記保水用ボードには芝草等の根が入り込んでしまうため、例えば芝草の一部を他の植物に入れ替えるような場合には、保水用ボードごと芝草を取り外し、新たな保水用ボードと共に他の植物を設置する必要がある。この芝草の根が入り込んだ保水用ボードは、産業廃棄物として埋め立て処理しなければならず、環境配慮の観点で問題がある。
【０００５】
また、上記保水用ボードは、樹脂繊維によって構成されているので、保水性に優れるものの、不必要に水分を保持してしまう問題も有している。例えば、降雨等により大量の水が保水用ボードに供給されたときには、長期にわたって水溜りのような状態が続いてしまうこととなる。
【０００６】
一方、吸水ポリマーを含有する保水板によって、大量に供給された水を内部に保持することも提案されている。この保水板では、保水した水の蒸散を抑制できるが、吸水ポリマーに保持されている水分を植物が直接に利用できないため、合理的とはいえない。
【０００７】
これに対し、特許文献１では、木質繊維板の全体に界面活性剤を添加し、保水性（親水性）を向上させた植物栽培用の保水資材が提案されている。この保水資材によれば、植物が保水された水分を直接に利用することができる。
【先行技術文献】
【特許文献】
【０００８】
【特許文献１】特開２００９−１８３１７７号公報
【発明の概要】
【発明が解決しようとする課題】
【０００９】
ところが、上記特許文献１の植栽用保水資材では、その複数を例えば法面等の設置面上に並べて載置し緑化するとき、それらは単に設置面上に載置されているだけであり、例えば人が踏むこと等によって外部からの力が加わると、簡単に離反してしまい、安定した緑化システムを維持できないという問題がある。
【００１０】
本発明は斯かる点に鑑みてなされたもので、その目的は、植物が生育される緑化ボードの構造に工夫を加えることにより、複数の緑化ボードを設置面上に載置した状態で離反し難くして、安定した緑化システムを維持できるようにすることにある。
【課題を解決するための手段】
【００１１】
上記の目的を達成するために、この発明では、緑化ボートは植生用の木質繊維板に加えて連結部材を備えたものとし、この連結部材により緑化ボート同士を一体的に連結できるようにした。
【００１２】
具体的には、第１の発明は、表面に植物が直接植栽される緑化ボードに係るものであって、この緑化ボードは、表面に植物が植生される、比重０．０５〜０．３５でかつ厚み１０〜２５ｍｍの吸水性を有する木質繊維板と、この木質繊維板の裏面に一体的に設けられた連結部材とを備えてなり、この連結部材は隣り合う緑化ボードの連結部材と連結可能とされていて、それらの連結部材同士を連結することにより、隣り合う緑化ボードと連結可能に構成されていることを特徴とする。
【００１３】
この第１の発明では、緑化ボードは木質繊維板を備えており、その木質繊維板が保水している水分により、緑化ボードの表面側において植物を生育することが可能になる。また、この植物の生育に伴い木質繊維板に植物の根が絡んでいたとしても、廃棄する際には当該植物の根と共に木質繊維板を燃焼して廃棄することが可能となり、環境への負荷が容易に低減される。
【００１４】
また、緑化ボードは木質繊維板の裏面に連結部材が一体的に設けられてなり、この連結部材を隣り合う緑化ボードの連結部材に連結するにより、隣り合う緑化ボード同士が連結可能であるので、複数の緑化ボードを連結部材同士の連結によって一体的に連結することができる。このことで、載置された複数の緑化ボードは外部からの力が作用しても離反し難くなり、緑化システムが安定して維持される。
【００１５】
木質繊維板の比重は、０．０５未満であると、上を歩行するための積載荷重が不足するだけでなく、保水量も少なくなる一方、０．３５を越えると、比重が高すぎて植物の根の活着性が悪くなるので、０．０５〜０．３５とされている。
【００１６】
また、木質繊維板の厚みは、１０ｍｍ未満であると、保水量が不足する一方、２５ｍｍを越えると、不必要にコストアップするので、１０〜２５ｍｍとされている。
【００１７】
第２の発明の緑化ボードは、第１の発明において、その木質繊維板の表面上に載置されかつ植物の種が播種された多孔シートを備えており、この多孔シートに播種された種が散水により発芽し、その根が上記木質繊維板に活着することにより、木質繊維板の表面に植物が植生されるように構成されていることを特徴とする。
【００１８】
この第２の発明では、木質繊維板の表面上に多孔シートが載置され、その表面から水を供給することで、多孔シートに播種された植物の種が発芽して、その根が木質繊維板中に伸びて活着し、植物が木質繊維板の表面に植生される。こうすれば、連結された複数の緑化ボードに対し散水するだけで、植物を発芽させて木質繊維板に植生させることができ、その植生が容易になる。
【００１９】
第３の発明では、第１又は第２の発明において、木質繊維板の表面に溝部又は穴部の少なくとも一方が設けられていることを特徴とする。
【００２０】
この第３の発明では、木質繊維板の表面に溝部又は複数の穴部の少なくとも一方が形成されているので、植物の根をその穴部又は溝部に容易にかつ確実に活着させることが可能になる。また、溝部又は穴部に肥料を入れることにより、所望の位置に確実に肥料を配置固定することが可能となる。さらに、溝部又は穴部に植物の種を入れることにより、所望の位置に確実に種を配置固定でき、木質繊維板に直接に播種することができる。
【００２１】
第４の発明では、第１又は第２の発明において、木質繊維板の表面及び裏面にそれぞれ溝部又は穴部の少なくとも一方が、該表裏面間の溝部又は穴部の間で互いに連通するように設けられていることを特徴とする。
【００２２】
この第４の発明でも、木質繊維板の表面に溝部又は複数の穴部の少なくとも一方が形成されているので、第３の発明と同様の作用効果が得られる。また、木質繊維板の裏面にも溝部又は複数の穴部の少なくとも一方が形成され、これら表裏面の溝部又は穴部の間は連通しているので、木質繊維板に表裏面を貫通する貫通孔が形成されることとなり、植物の根の活着性をさらに高めることができる。しかも、表裏面の溝部又は穴部の間の連通により木質繊維板自体に透水性を持たせることが可能となり、特に緑化ボード表面から水遣りを行った場合、その水が確実に木質繊維板全体に行き届く。また、屋外の緑化システムとして施工した場合、特に降雨時に表面に溜まった水を確実に裏面側に抜くことができ、排水性に優れた緑化システムが得られる。
【００２３】
第５の発明では、第１〜第４のいずれか１つの発明において、木質繊維板と連結部材との間に防根シートが設けられていることを特徴とする。
【００２４】
この第５の発明では、木質繊維板と連結部材との間に防根シートが設けられているので、木質繊維板表面に育生された植物の根が木質繊維板の裏面を貫通しても、それが連結部材中に入り込むことを防根シートによって防ぐことができ、連結部材による速やかな連結作業を維持することができる。
【００２５】
また、上記防根シートを透水性又は通水性を有するものとすれば、潅水又は散水時に、木質繊維板の表裏面間で連通する、溝部や穴部による貫通孔、又は連結された緑化ボードの間から、水を緑化ボードの裏面に確実に行き渡らせることができる。また、屋外の緑化システムとして施工した場合、特に降雨時に表面に溜まった水を確実に裏面側に抜くことができ、排水性に優れた緑化システムが得られる。
【００２６】
第６の発明では、第１〜第５のいずれか１つの発明において、木質繊維板の裏面に該木質繊維板の異なる２辺間に亘って延びる複数の裏溝が設けられていることを特徴とする。
【００２７】
この第６の発明では、木質繊維板の裏面に木質繊維板の異なる２辺間に亘って延びる複数の溝部が形成されていることから、潅水又は散水時に、複数の緑化ボード間の連結部分の隙間から木質繊維板の裏面側に入り込んだ水、或いは木質繊維板の表裏に連通するように設けられた溝部や穴部から同様に木質繊維板の裏面側に入り込んだ水を、その木質繊維板の側端部から溝部内に案内して、木質繊維板の裏面側を速やかに保水することが可能になる。よって、木質繊維板を表面側だけでなく裏面側からも水を十分に供給して、その保水性を大幅に高めることが可能となる。
【００２８】
第７の発明の緑化システムは、第１〜第６のいずれか１つの発明の複数の緑化ボードが連結部材により互いに連結された状態で設置対象体上に設置されていることを特徴とする。
【００２９】
この第７の発明では、設置対象体上に設置される複数の緑化ボードが連結部材によって一体的にかつ外部からの力の作用でも離反し難く連結されることとなり、安定した緑化システムが得られる。
【００３０】
第８の発明の緑化システムは、設置対象体上に防根シートが載置され、その防根シート上に第１〜第６のいずれか１つの発明の複数の緑化ボードが連結部材により互いに連結された状態で載置されていることを特徴とする。
【００３１】
この第８の発明では、設置対象体上に防根シートを介して複数の緑化ボードが互いに連結された状態で載置されているので、設置対象体に対する防根を確実に行うことができる。
【００３２】
第９の発明の緑化システムは、設置対象体上に防水シート又は吸水ボードが載置され、その該防水シート又は吸水ボード上に第１〜第６のいずれか１つの発明の複数の緑化ボードが連結部材により互いに連結された状態で載置されていることを特徴とする。
【００３３】
この第９の発明では、設置対象体上に防水シート又は吸水ボードが載置され、その防水シート又は吸水ボード上に複数の緑化ボードが互いに連結した状態で載置されているので、屋内でも利用な緑化システムを提供することができる。そして、簡易に施工できるため、例えばショッピングセンターの一角に植物による緑化スペースを設けたり、幼稚園の教室の床面を簡易に芝生等で覆うことも可能な緑化システムを提案することができる。
【発明の効果】
【００３４】
以上説明したように、第１の発明によると、表面に植物が直接植栽される緑化ボードとして、表面に植物が植生される吸水性を有する木質繊維板の裏面に連結部材を一体的に設け、この連結部材により隣り合う緑化ボードと連結可能としたことにより、緑化ボードを廃棄する際の環境への負荷の低減を図るとともに、連結部材によって複数の緑化ボード同士を外部からの力が作用しても離反し難く一体的に連結して、緑化システムの安定維持を図ることができる。
【００３５】
第２の発明によると、木質繊維板の表面に、植物の種が播種された多孔シートを載置した緑化ボードとし、その多孔シートに播種された種を散水により発芽させ、その根を木質繊維板に活着させるようにしたことにより、連結された複数の緑化ボードに対し散水するだけで、植物を発芽させて木質繊維板に植生でき、その植生の容易化を図ることができる。
【００３６】
第３の発明によると、木質繊維板の表面に溝部又は穴部を設けたことにより、植物の根を穴部又は溝部に容易にかつ確実に活着させることができるとともに、所望の位置に確実に肥料や種を配置固定することができる。
【００３７】
第４の発明によると、木質繊維板の表面及び裏面にそれぞれ溝部又は穴部を繊維板表裏面間で互いに連通するように設けたことにより、植物の根の活着性をさらに高めることができるともに、木質繊維板自体に透水性を持たせて、緑化ボード表面からの水を確実に木質繊維板全体に行き渡らせることができ、屋外の緑化システムでは、降雨時に表面に溜まった水を確実に裏面側に抜いて排水性に優れた緑化システムが得られる。
【００３８】
第５の発明によると、木質繊維板と連結部材との間に防根シートを設けたことにより、木質繊維板の裏面を貫通した植物の根が連結部材中に入り込むのを防いで、連結部材による速やかな連結作業を維持できるとともに、透水性又は通水性を有する防根シートにより潅水又は散水時に水を緑化ボードの裏面に確実に行き渡らせることができ、屋外の緑化システムでは、降雨時に表面に溜まった水を確実に裏面側に抜いて排水性に優れた緑化システムが得られる。
【００３９】
第６の発明によると、木質繊維板の裏面に木質繊維板の異なる２辺間に亘って延びる複数の裏溝を設けたことにより、潅水又は散水時に木質繊維板の裏面側に入り込んだ水を溝部内に案内して、木質繊維板の裏面側を速やかに保水し、木質繊維板の保水性を大幅に高めることが可能となる。
【００４０】
第７の発明の緑化システムによると、上記複数の緑化ボードを連結部材により互いに連結された状態で設置対象体上に設置したことにより、設置対象体に複数の緑化ボードが連結部材によって一体的にかつ外部からの力の作用でも離反し難く連結して、安定した緑化システムが得られる。
【００４１】
第８の発明の緑化システムによると、設置対象体上に防根シートを載置してその上に上記複数の緑化ボードを連結部材により互いに連結した状態で載置したことにより、設置対象体に対する防根を確実に行うことができる。
【００４２】
第９の発明の緑化システムによると、設置対象体上に防水シート又は吸水ボードを載置して、その上に上記複数の緑化ボードを連結部材により互いに連結された状態で載置したことにより、屋内でも利用な緑化システムを提供することができ、ショッピングセンターの一角に植物による緑化スペースを設けたり、幼稚園の教室の床面を簡易に芝生等で覆うことも可能な緑化システムが得られる。
【図面の簡単な説明】
【００４３】
【図１】図１は本発明の実施形態１に係る緑化ボードを示す斜視図である。
【図２】図２は緑化ボードの側面図である。
【図３】図３は連結部材の斜視図である。
【図４】図４は緑化ボートの変形例１を示す図１相当図である。
【図５】図５（ａ）は緑化ボートの変形例２を示す図１相当図である。図５（ｂ）は要部の拡大平面図である。
【図６】図６は緑化ボートの変形例３を示す図１相当図である。
【図７】図７は緑化ボートの変形例３に係る木質繊維板の裏面を示す平面図である。
【図８】図８は緑化ボートの変形例４を示す図１相当図である。
【図９】図９は緑化ボートの変形例４に係る木質繊維板の裏面を示す平面図である。
【図１０】図１０は緑化ボートの変形例５を示す図１相当図である。
【図１１】図１１は緑化ボートの変形例６を示す図２相当図である。
【図１２】図１２は木質繊維板の構造を示す断面図である。
【図１３】図１３は緑化ボードの表面に植物が植栽された状態を示す斜視図である。
【図１４】図１４は緑化システムの構造を部分的に示す概略断面図である。
【図１５】図１５は緑化システムを部分的に示す平面図である。
【図１６】図１６は本発明の実施形態２に係る緑化ボードを示す図１相当図である。
【発明を実施するための形態】
【００４４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００４５】
［実施形態１］
（緑化ボード）
図１〜図１３において、１は本発明の実施形態１に係る緑化ボードであって、図１４及び図１５に示すように、この緑化ボード１を複数マトリクス状に連結して後述する設置対象体２５上に設置することで緑化システムが構成される。
【００４６】
図１３に示すように、上記緑化ボード１は、表面に植物Ｐが直接植栽されるものであり、木質繊維板２と、この木質繊維板２の裏面に一体的に設けられた連結部材１２とを備えている。
【００４７】
（木質繊維板）
上記木質繊維板２は、表面（上面）に植物Ｐが植生されるもので吸水性を有する。この木質繊維板２は、比重０．０５〜０．３５のもの（インシュレーションボード等）が使用される。木質繊維板２の比重が、０．０５未満であると、上を歩行するための積載荷重が不足するだけでなく、保水量も少なくなる一方、０．３５を越えると、比重が高すぎて植物Ｐの根の活着性が悪くなる（根が入り難くなる）からである。
【００４８】
また、木質繊維板２は、厚み１０〜２５ｍｍのものが使用される。木質繊維板２の厚みが、１０ｍｍ未満であると、その保水量が不足する一方、２５ｍｍを越えると、不必要にコストアップするからである。木質繊維板２の大きさは、特に限定されないが、この実施形態では９０ｃｍ×９０ｃｍのものが用いられている。
【００４９】
これにより、同じ厚みの土壌に比べ優れた保水性を確保しつつ、極めて軽く、建築基準法で構造計算が必要となることを定められた平均荷重６０ｋｇ／ｍ２未満の重量を余裕を持って実現でき、屋上緑化を始め、どのような場所にも設置可能な緑化システムを提供することができる。例えば比重０．２、厚み１１ｍｍの木質繊維板２であれば、１０〜１２ｋｇ／ｍ２程度の吸水量が期待できる。
【００５０】
木質繊維板２の保水性を向上させる方法としては、製造時の抄造スラリーにワックス等の撥水性を発現するものを添加しない方法が最も好適である。また、製造時に界面活性剤を抄造スラリーに添加したり、製造された木質繊維板２の表面に界面活性剤をスプレー塗布したりする方法が考えられる。このような木質繊維板２に水を接触させて保水状態の保水ボードとし、それに植物Ｐを植生する。
【００５１】
また、一般的に市販されている撥水性を有する木質繊維板２も使用できる。この場合、木質繊維板２は、比重０．０５〜０．３５のいわゆるインシュレーションボードが好適に用いられる。インシュレーションボードとは、長繊維の木質繊維をバインダーやワックスと共に湿式抄造して板状に成形した木質繊維板である。一般的なインシュレーションボードは、耐水性を向上させるために、ワックスが内添されており、多少の水かかってもそれをはじく性能を有している。従って、界面活性剤等を使用し、インシュレーションボードの濡れ性を向上させて保水状態とする。このような界面活性剤としては、例えば（株）ハイポネックスジャパン社製の「ワターイン」（登録商標）や「ワターインキレート」（商品名）等が挙げられる。
【００５２】
具体的には、界面活性剤を含む水に木質繊維板２を浮かべたり漬けたりする。木質繊維板２を浮かべると、水が接した部分から徐々に保水されていく。この場合、木質繊維板２を完全な保水状態としてもよいが、木質繊維板２が完全に保水状態となると、例えば９０ｃｍ×９０ｃｍ等の大きな板を施工する場合、強度が弱くなってハンドリングが悪くなるだけでなく、完全に保水状態とするためには、かなりの時間を要する。従って、少なくとも表層部を界面活性剤を含む水により保水状態としておき、保水状態となった面を上向きに施工し、施工後に保水部分に水を供給することで、施工状態で完全な保水状態となるようにするのが好ましい。
【００５３】
つまり、撥水性を有する木質繊維板２に界面活性剤を含む水を接触させ、少なくとも表層部に親水層を形成して保水ボードとする。例えば、施工前の木質繊維板２は、図１２（ａ）に示すように、表面のみに親水層２ａが形成されていてもよく（他は撥水層２ｂである）、或いは図１２（ｂ）に示すように、木質繊維板２の周囲全体が親水層２ａとなり、その内側部分が撥水層２ｂとなるように形成してもよい。また、界面活性剤により木質繊維板２の表面又は裏面に親水層２ａを形成し、その後に乾燥させてもよいし、親水層２ａのない木質繊維板２を載置した後に表面からじょうろ等で、界面活性剤を含む水を散布してもよい。木質繊維板２は、表面側に植物Ｐが植生されるので、少なくとも表面に親水層２ａが形成されていることが必要である。また、木質繊維板２の裏面にも親水層２ａを形成しておけば、後述するように、裏側に供給される種々の水により木質繊維板２の全体を速やかに保水状態とすることができる。
【００５４】
これらの木質繊維板２には、表面又は裏面にパイプを収容可能な溝が形成され、内部に潅水パイプが収容されてもよい。
【００５５】
図１に示すように、木質繊維板２の表面には複数（図示例では３本）の表溝４，４，…（溝部）が形成されている。これら複数の溝部４，４，…はそれぞれ例えば直線状にかつ互いに平行に延びるように設けられ、その各溝部４の両端は木質繊維板２の周縁側端部（四周の辺）において開放されている。
【００５６】
或いは図４に示すように、木質繊維板２の表面に多数の有底状の表穴５，５，…（穴部）を形成することもできる（変形例１）。
【００５７】
これにより、表面に育生される植物Ｐの根が表溝４，４，…又は表穴５，５，…に入り込むようになり、植物Ｐの木質繊維板２に対する活着が確実に行われる。また、表溝４又は表穴５に植物Ｐの種や肥料を入れることにより、所望の位置に確実に種や肥料を播種することが可能となる。
【００５８】
表溝４の幅や表穴５の大きさは任意の寸法でよいが、表面強度を考慮し、あまり大きな溝幅の表溝４や大きな直径の表穴５は開けない方がよい。表穴５の場合は木質繊維板２の気乾状態において直径１ｍｍ〜３ｍｍ程度が好ましい。直径とは略円形状のものを想定したものであるが、表穴５は四角形状でも三角形状でもよく、形状は問わない。表溝４の場合は、溝幅１ｍｍ〜２ｍｍ程度が好ましい。
【００５９】
また、図５（ａ）に示すように、木質繊維板２の表面に複数の表溝４，４，…（溝部）を、また裏面に複数の裏溝８，８，…（溝部）をそれぞれ該表裏溝４，８間で互いに連通するように形成することで、図５（ｂ）に示すように、木質繊維板２の表裏面に亘る貫通孔９，９，…を設けることもできる（変形例２）。すなわち、例えば木質繊維板２の表面（植物Ｐ側の表面）に複数の表溝４，４，…を互いに平行に配置して形成する一方、木質繊維板２の裏面には、同様に複数の裏溝８，８，…を互いに平行にかつ表溝４，４，…と交差するように配置して形成し、この表面側の複数の表溝４，４，…と裏面側の裏溝８，８，…とが交差する位置（図５（ａ）で下向き矢印Ａで示す位置）において、図５（ｂ）に示すように表裏溝４，８間を互いに連通させることにより、木質繊維板２の表裏面で連通する貫通孔９を形成する。
【００６０】
或いは、図示しないが、木質繊維板２の表面及び裏面にそれぞれ複数の表穴及び裏穴（穴部）をそれぞれ該表裏穴間で互いに連通するように設けることもできる。この場合は、木質繊維板２の表面及び裏面にそれぞれ複数の表裏穴部を該表裏穴同士が対応するように形成すればよく、この表裏穴により複数の貫通孔が構成される。
【００６１】
こうして木質繊維板２に表裏面を貫通する貫通孔９を形成することにより、木質繊維板２に対する植物Ｐの活着性を向上できるとともに、木質繊維板２自体に透水性を持たせることもできる。尚、上記活着性を向上させるためには、例えば直径０．５〜１ｍｍ程度の表穴５だけでもよいが、木質繊維板２に表裏面を貫通する貫通孔９によって透水性を確保することを目的とする場合には、直径１ｍｍ以下の貫通孔となる表裏溝４，８や表裏穴は、木質繊維板２の水による膨潤により貫通孔９が塞がってしまい、透水性には寄与しないことがあるため、好ましくない。
【００６２】
そして、この木質繊維板２に表裏面を貫通する貫通孔９により、特に木質繊維板２表面から水遣りを行った場合、その水が確実に木質繊維板２全体に行き届くこととなる。また、木質繊維板２の裏面に親水層２ａ（図１２参照）を設けておけば、木質繊維板２の裏面に移動した水が親水層２ａを経て木質繊維板２表面側に移行するので、木質繊維板２全体に保水させることが可能となる。また、屋外の緑化システムとして施工した場合、特に降雨時に緑化ボード１（木質繊維板２）の表面に溜まった水を貫通孔９により確実に裏面側に抜くことができ、排水性に優れた緑化システムを提供することができる。また、表面に育生される植物Ｐの木質繊維板２に対する活着もより確実に行われる。
【００６３】
また、図６〜図９に示すように、緑化ボード１の木質繊維板２の裏面に、その木質繊維板２の異なる２辺に連通する複数の裏溝８，８，…のみを設けてもよい。すなわち、図６及び図７に示すように、木質繊維板２の裏面に裏溝８，８，…を、木質繊維板２の対向する２辺間に亘るように残りの辺と平行に形成するか（変形例３）、或いは、図８及び図９に示すように、木質繊維板２の裏面に裏溝８，８，…を、木質繊維板２の隣接する２辺間に亘るように斜めに平行に形成する（変形例４）。
【００６４】
これにより、潅水又は散水時に緑化ボード１，１間の隙間から木質繊維板２の裏面に入り込んだ水や、木質繊維板２の表裏側に連通するように設けられた上記貫通孔９から入り込んだ水を裏溝８，８，…によって確実に木質繊維板２全体に行き渡らせることができる。
【００６５】
この場合も、木質繊維板２の裏面に親水層２ａ（図１２参照）を設けておけば、この親水層２ａにより木質繊維板２全体に保水させることが可能となる。
【００６６】
各裏溝８の溝幅は１ｍｍ〜５ｍｍ程度、深さは１ｍｍないし木質繊維板２の厚みの半分程度とするのが好ましい。使用条件に応じて必要な強度が確保できるように、裏溝８の本数と深さとを決定すればよい。裏溝８の本数は１本でもよいが、本数が増えるほど均一に木質繊維板２の裏面に水を供給することができる。本数を増やす場合は、深さを深くすると、強度が弱くなるため、強度が求められる場合は、１ｍｍ〜３ｍｍ程度の深さとするのが好ましい。１ｍｍよりも浅い裏溝８の場合は、吸水膨張により裏溝８がなくなり、その裏溝８での連通部分がなくなる可能性がある。
【００６７】
一方、上記のように木質繊維板２の表裏面側に亘る貫通孔９を設ける場合は、表面側の表溝４よりも裏溝８の溝深さを深くするのが好ましく、例えば厚み１１ｍｍの木質繊維板２を用いた場合、表面側から表溝４が幅２ｍｍで深さ５ｍｍとなり、裏面側から裏溝８が幅２ｍｍで深さ８ｍｍとなるように互いに交差して切溝を設けるのがよい。
【００６８】
上記の貫通孔９を設ける場合、さらに好ましくは、図示しないが、木質繊維板２に接するようにその裏面に保水シート又は透水シートを設けるのがよい。これにより、木質繊維板２の表面から供給された水が貫通孔９を通って裏面側に到達し、さらに裏溝８を伝って木質繊維板２の全面に供給されていく。このとき、隣り合う緑化ボード１，１同士の保水シート又は透水シートは互いに重なる様に施工されているのが望ましい。その理由は、保水シート又は透水シートの間に隙間がなくなり、保水シート又は透水シートの効果を有効利用できるからである。
【００６９】
上記保水シートは、木質繊維板２の裏面（下面）に設置されて、隣り合う緑化ボード１，１の木質繊維板２，２間の隙間を通過した水を木質繊維板２全体に均一に浸透できることを目的としている。完全に水を通し易いものでもよいし、水を通し難いものでもよい。緑化システムの排水性が悪くなるため、完全に水を通さないシートは使用することができない。
【００７０】
保水シートの直下に後述する防根シート２１がある場合、保水シートは水を透過又は保持する機能を有するシートが好ましく、例えば、０．２ｍｍ〜１ｍｍ程度の樹脂不織布や綿布等が好適に用いられる。これにより、隣り合う隣り合う緑化ボード１，１の木質繊維板２，２間の隙間を通過した水を木質繊維板２と防根シート２１との間の保水シートを伝って木質繊維板２の裏面全体に行き渡らせることができる。
【００７１】
このような、水を透過又は保持する機能を有するシートとしては、植物Ｐと分別廃棄の必要がなく、燃やしても水と二酸化炭素しか発生しない例えばポリエステル樹脂、ＰＰ樹脂やＰＥ樹脂を用いるのが好ましい。このような材料としては、例えば東洋紡（株）の親水性不織布「ジャームガード」（商品名）等が挙げられる。
【００７２】
また、いわゆる生分解性プラスチックを用いてもよい。生分解性プラスチックとしては、微生物系のバイオポリエステル樹脂やバクテリアセルロース樹脂、天然物系のセルロース変性物、キトサン／セルロール変性物や酢酸セルロース変性物、化学合成系のポリ乳酸樹脂、ポリカプロラクトン樹脂、エチレンテレフタレート／サクシネート樹脂、ポリプチレンサクシネート樹脂等、１ヶ月〜１年程度で土壌で分解されるものが好ましい。このような材料としては、例えば旭化成繊維（株）の「ベンネット」（商品名）やシンワ（株）の「Ｈａｉｂｏｎ」（商品名）等が挙げられる。
【００７３】
透水シートとしては、透水耐根シートが最も好ましい。表面からの散水又は潅水パイプによる潅水により供給された水が裏溝８と透水シートとの間に移動し、木質繊維板２の裏面全体に水が拡散される。透水耐根透水シートとしては、一般的に市販されている耐根性を有し、透水性を有するものであればどのようなものでも使用することができるが、例えば厚さ０．１〜０．５ｍｍ程度の樹脂不織布や密に織られた樹脂織布、綿布等が用いられる。このような材料としては、例えば東洋紡（株）製の「コスモアングラス」（商品名）やスパンボンドポリエステル樹脂不織布「エコロベース透水シート」（商品名）等が挙げられる。
【００７４】
（植物）
図１３に示すように、上記木質繊維板２の表面には植物Ｐが直接に、例えばその根を木質繊維板２に活着させた状態で植生される。植物Ｐは、種の状態で表面に存在し、緑化ボード１の施工後に水遣りすることで育生させてもよいし、既に発芽して繁茂状態に育生されたものでもよい。植物Ｐとしては、上に人間が歩いたり運動したりすることを考慮すると芝草（芝）が最も好適である。例えば芝草であれば、その芝草をマット状に成形し、ロール状にした巻芝や、３００ｍｍ角程度の大きさに切った切芝を木質繊維板２（保水ボード）上に直接載置してもよい。
【００７５】
上を人間が歩いたりしないことを前提とするなら、つる性植物や、その他の草花等でもよい。
【００７６】
また、植物Ｐは芝や他の植物に代えて苔を使用してもよい。その場合、苔は根がないため、剥がれ易いことから、特に緑化ボード１を載架する場合や、屋外で緑化ボード１を設置する場合等については、例えば表面を網状シートで覆い、網状シートと木質繊維板２とを固定一体化しておく等の配慮が必要である。
【００７７】
（連結部材）
図２及び図３に示すように、上記連結部材１２は、木質繊維板２の裏面に一体的に設けられて、隣り合う緑化ボード１の連結部材１２と連結可能とされており、これら隣り合う緑化ボード１，１の連結部材１２，１２同士を連結することにより、緑化ボード１は隣り合う緑化ボード１と連結可能に構成されている。図３に示すように、連結部材１２は、木質繊維板２と同じか略同じ大きさの矩形板状の例えば樹脂材料からなるもので、その四周には枠部１２ａが形成され、この枠部１２ａを除く中間部には表裏面に貫通する多数の矩形状の貫通孔１３，１３，…がマトリクス状（碁盤目状）に形成されている。尚、貫通孔１３は円形状のものでもよく、軽量化ないし透水性のために設けられている。これにより、緑化ボード１表面に水溜まりができることなく、水はけの良い緑化システムが得られる。
【００７８】
連結部材１２において、その対向する辺の一方又は隣接する辺の一方に相当する２つの辺の枠部１２ａ下面には、その辺の対向方向に沿って延びる凹溝状の複数（図示例では５つ）の係止切欠部１５，１５，…が等間隔をあけて並んだ状態で形成され、その各係止切欠部１５の底面（上面）には下方に延びる係止ピン１６が突設されている。一方、残り２辺の枠部１２ａ下面には、複数（図示例では５つ）の板状の係止突片１７，１７，…が等間隔をあけて並んだ状態で突設され、その各係止突片１７には上下方向（係止突片１７の厚さ方向）に貫通する係止孔１８が貫通形成されている。そして、隣り合う２つの緑化ボード１，１同士を連結するときには、一方の緑化ボード１における連結部材１２の複数の係止切欠部１５，１５，…にそれぞれ他方の緑化ボード１における連結部材１２の複数の係止突片１７，１７，…を挿入し、その各係止切欠部１５底面の係止ピン１６を各係止突片１７の係止孔１８に上方から嵌挿することで、両緑化ボード１，１を着脱可能に連結するようにしている。
【００７９】
尚、緑化ボード１，１同士の連結を解除する必要がない場合には、上記係止ピン１６や係止孔１８の構造を変更する等して、連結部材１２は緑化ボード１，１同士を着脱不能に嵌め殺し状態で連結するようにしてもよいが、表面の植物Ｐが芝草の場合は、芝生が剥がれたり、枯れたりしたときに部分的に芝生を張替えできるようにするために、着脱自在にされているものが好ましい。
【００８０】
また、図１０に示すように、木質繊維板２と連結部材１２は、木質繊維板２の隅角部及び連結部材１２の隅角部を上下に貫通するねじやボルト及びナット等の固定部材２０，２０，…で固定一体化するようにしてもよい（変形例５）。
【００８１】
さらに、図１１に示すように、上記木質繊維板２と連結部材１２との間に防根シート２１を配設することもできる（変形例６）。この防根シート２１としては、例えば、ポリプロピレン樹脂（ＰＰ樹脂）や塩化ビニル樹脂（ＰＶＣ樹脂）からなる厚さ０．２〜２ｍｍ程度の樹脂シートが用いられる。また、例えばポリエチレンテレフタレート樹脂（ＰＥＴ樹脂）、ナイロン樹脂やＰＰ樹脂の線状樹脂を樹脂織布とし、この樹脂織布にポリエチレン樹脂（ＰＥ樹脂）、ＰＰ樹脂やＰＶＣ樹脂からなるシート状物が熱融着された厚さ０．２〜２ｍｍ程度の補強シートも好適に用いられる。また、例えばＰＥ樹脂発泡体と上記樹脂シートとをラミネートした厚さ１〜３ｍｍ程度の発泡樹脂シートを用いてもよい。防根シート２１は、その上に載置されているものの積載荷重で破れることなくかつ防根シート２１を越えて根が侵入するのを防ぎ、水による経年劣化に耐えるものであれば、どのようなものでも利用することができる。
【００８２】
こうすれば、木質繊維板２と連結部材１２との間に配置された防根シート２１により、木質繊維板２の表面に育生された植物Ｐの根が木質繊維板２の裏面を貫通し、連結部材１２中に入り込むことを防ぐことができ、緑化ボード１の速やかな連結作業が可能となる。
【００８３】
また、斯かる防根シート２１を透水性又は通水性を有するものとしてもよい。この透水性又は通水性を有する防根シート２１を連結部材１２と木質繊維板２の間に設けることにより、潅水又は散水時に、その水を、表裏に連通する連通孔（溝部や穴部）、又は連結された緑化ボード１の連結部から緑化ボード１の裏面に確実に行き渡らせることができる。また、屋外の緑化システムとして施工した場合、特に降雨時に緑化ボード１の表面に溜まった水を確実に裏面側に抜くことができて、排水性に優れた緑化システムを提供することができる。
【００８４】
（緑化システム）
本発明の実施形態に係る緑化システムは、上記複数の緑化ボード１，１，…を備えていて、植物Ｐを育生するためのものである。図１４及び図１５に示すように、緑化システムは、複数の緑化ボード１，１，…が各々の木質繊維板２を上側（表側）にして縦横マトリクス状に並べられかつ下側（裏側）の連結部材１２，１２，…によって互いに連結され、その状態で複数の緑化ボード１，１，…は設置対象体２５（設置面）上に載置又は載架されている。
【００８５】
具体的には、図１４に示すように、設置対象体２５上に防根シート２６が載置され、その防根シート２６上に上記複数の緑化ボード１，１，…が各々の連結部材１２により互いに連結された状態で載置されている。尚、隣り合う緑化ボード１，１間に５〜５０ｍｍの間隔をあけて設置するのが好ましい。
【００８６】
上記設置対象体２５とは、例えば建物の屋上を構成するコンクリートスラブ、建物の室内の床面や壁面、屋外駐車場の地面、道路の法面、切土や盛土の法面等であり、「載置」とは、当該設置対象体２５としての床面や道路の法面に緑化ボード１，１，…を載置することであり、「載架」とは、設置対象体２５としての壁面に緑化ボード１，１，…を載置することである。
【００８７】
こうすれば、上記設置対象体２５を緑化システムによって緑化することができる。また、複数の緑化ボード１，１，…は設置対象体２５に対し各々の連結部材１２によって一体的にかつ外部からの力の作用でも離反し難く連結されることとなり、安定した緑化システムが得られる。
【００８８】
さらに、設置対象体２５上に防根シート２６を介して複数の緑化ボード１，１，…が載置されているので、設置対象体２５の設置面に対する防根を確実に行うことができる。
【００８９】
尚、図示しないが、設置対象体２５上に防水シート又は吸水ボードを載置し、その防水シート又は吸水ボード上に上記複数の緑化ボード１，１，…を連結部材１２により互いに連結させた状態で載置するようにしてもよい（この防水シート又は吸水ボードは、図１４に示す耐根シート２６の位置に配置される）。
【００９０】
このことにより、屋内でも利用な緑化システムを提供することができる。本実施形態に係る緑化ボード１は簡易に施工できるため、例えばショッピングセンターの一角に芝生スペースを設けたり、幼稚園の教室の床面を簡易に芝生で覆うことも可能な緑化システムを提案することができる。
【００９１】
上記防水シートとは、一般的な遮水性を有する樹脂シートをいう。また、吸水ボードとは、例えばインシュレーションボードや、ダンボール等の吸水性を有する板状体をいう。
【００９２】
したがって、この実施形態においては、緑化ボード１が木質繊維板２を備え、その木質繊維板２が保水している水分により、緑化ボード１の表面側において植物Ｐを生育することが可能になる。また、この植物Ｐの生育に伴い木質繊維板２に植物Ｐの根が絡んでいたとしても、その植物Ｐの根と共に木質繊維板２を燃焼して廃棄することができ、廃棄する際の環境への負荷が容易に低減される。
【００９３】
また、緑化ボード１は木質繊維板２の裏面に設けられた連結部材１２を備え、その連結部材１２により隣り合う緑化ボード１と連結可能となっている。このため、連結部材１２によって複数の緑化ボード１，１，…同士を一体的に連結することができ、載置された複数の緑化ボード１，１，…は外部からの力が作用しても離反し難くなり、緑化システムを長期間に亘り安定して維持することができる。
【００９４】
［実施形態２］
図１６は本発明の実施形態２に係る緑化ボード１を示す（尚、実施形態１と同じ部分については同じ符号を付してその詳細な説明を省略する）。この実施形態では、緑化ボード１における木質繊維板２の表面上に、植物Ｐの種Ｐ１，Ｐ１，…が播種された多孔シート２２が載置されている。そして、緑化ボード１は、この多孔シート２２に播種された種Ｐ１，Ｐ１，…が散水により発芽し、その根が上記木質繊維板２に活着することにより、木質繊維板２の表面に植物Ｐが植生されるように構成されている。その他の構成は実施形態１と同じである。
【００９５】
上記種Ｐ１，Ｐ１，…が播種された多孔シート２２とは、樹脂不織布や紙、綿織物等の多孔シート２２に種Ｐ１，Ｐ１，…が固着、粘着、挟着等されたものであり、所定量の種Ｐ１，Ｐ１，…が播種されている。これを木質繊維板２の表面に載置又は固着し、その表面から水を供給することで、多孔シート２２に播種された種Ｐ１，Ｐ１，…が発芽し、木質繊維板２中に根を伸ばして活着する。多孔シート２２としては、上記保水シートと同様のものが使用される。
【００９６】
この実施形態でも実施形態１と同様の作用効果が得られる。特に、この実施形態では、緑化ボード１における木質繊維板２の表面に、植物Ｐの種Ｐ１，Ｐ１，…が播種された多孔シート２２が載置されているので、この表面から水を供給することで、多孔シート２２の種を発芽させて、その根が木質繊維板２中に伸びて活着し、植物Ｐが木質繊維板２の表面に植生される。すなわち、連結部材１２，１２，…によって互いに連結された複数の緑化ボード１，１，…に対し散水するだけで、植物Ｐを発芽させて木質繊維板２に植生させることができ、その植生が容易になる。
【００９７】
［その他の実施形態］
尚、上記実施形態では、連結部材１２は、係止ピン１６が突設された係止切欠部１５，１５，…と係止孔１８を有する係止突片１７，１７，…とを四周に有するものとしているが、本発明の連結部材はこのような構造のものに限定されず、木質繊維板の裏側にあってそれを他の緑化ボードの木質繊維板と連結できる構造のものであれば、どのようなものであってもよい。
【産業上の利用可能性】
【００９８】
本発明は、複数の緑化ボード同士を外部からの力が作用しても離反し難く一体的に連結して、緑化システムの安定維持を図ることができるので、極めて有用であり、産業上の利用可能性が高い。
【符号の説明】
【００９９】
Ｐ  植物
１  緑化ボード
２  木質繊維板
４  表溝（溝部）
５  表穴（穴部）
８  裏溝（溝部）
９  貫通孔
１２  連結部材
１５  係止切欠部
１６  係止ピン
１７  係止突片
１８  係止孔
２０  固定部材
２１  防根シート
２２  多孔シート
２５  設置対象体
２６  防根シート
【図１】
2012223156.tif 000003
【図２】
2012223156.tif 000004
【図３】
2012223156.tif 000005
【図４】
2012223156.tif 000006
【図５】
2012223156.tif 000007
【図６】
2012223156.tif 000008
【図７】
2012223156.tif 000009
【図８】
2012223156.tif 000010
【図９】
2012223156.tif 000011
【図１０】
2012223156.tif 000012
【図１１】
2012223156.tif 000013
【図１２】
2012223156.tif 000014
【図１３】
2012223156.tif 000015
【図１４】
2012223156.tif 000016
【図１５】
2012223156.tif 000017
【図１６】
2012223156.tif 000018